【手続補正書】
【提出日】令和2年12月18日(2020.12.18)
【手続補正１】
【補正対象書類名】明細書
【補正対象項目名】００２５
【補正方法】変更
【補正の内容】
【００２５】
本発明の第８の態様として、凹部は、化粧パネルにねじを打ち込むためのねじ穴であり得る。ねじは、ねじ頭が基板内に配置される。そして、補修用シールは、ねじ穴の断面積に対して、２〜１０倍の面積でねじ穴上に貼付されることが好ましい。この場合、化粧パネルをねじで固定する際に生じるねじ穴を目立たないようにすることができる。特に、化粧パネルにねじ穴があり、そのねじ穴を補修する際、ねじ穴内にパテ埋めが無い場合やそのパテ埋めが不十分な場合に、補修多層体とねじ頭との間に空間ができたとしても、補修用シールはクラックが入り難く、剥離し難い。

【手続補正２】
【補正対象書類名】明細書
【補正対象項目名】００３３
【補正方法】変更
【補正の内容】
【００３３】
第１下塗層１ｂは、基板１ａと下塗層１ｃとの密着性確保のための層であり、化粧パネル１の組成や形状に応じた塗料が選択されている。第１下塗層１ｂに用いられる塗料の種類は、特に限定されるものでは無いが、ウレタン系、アクリル系、エポキシ系等の塗料が用いられる。下塗層１ｂは、本実施形態の場合は、顔料を有していないウレタン系塗料からなっている。ウレタン樹脂系塗料を用いることは、基板１ａの表層に浸透し、基板表面の強度を補強できる点から好ましい。
【手続補正３】
【補正対象書類名】明細書
【補正対象項目名】００３４
【補正方法】変更
【補正の内容】
【００３４】
第２下塗層１ｃは、平滑性や色など化粧パネル１が所望な外観を得るためのベースとなる層であり、化粧パネル１の所望の外観に応じた塗料が選択されている。第２下塗層１ｃに用いられる塗料の種類も、特に限定されるものでは無いが、ウレタン系、アクリル系、エポキシ系等の塗料が用いられ、本実施形態の場合は、アクリル系塗料からなっている。アクリル系塗料を用いることは、平滑な塗膜外観を得やすい点から好ましい。
【手続補正４】
【補正対象書類名】明細書
【補正対象項目名】００３６
【補正方法】変更
【補正の内容】
【００３６】
着色層１ｄは、化粧パネル１の色を最も決定付ける層であり、化粧パネル１の外観の色に応じた塗料が選択されている。着色層１ｄに用いられる塗料の種類は、特に限定されるものでは無いが、アクリル系、ウレタン系、シリコン系、フッ素系等の塗料が用いられ、本実施形態の場合は、アクリルウレタン系塗料からなっている。アクリルウレタン系塗料を用いることは、平滑な外観を得やすい点から好ましい。
着色層１ｄの膜厚も、特に制限されるものではないが、本実施の形態の場合、約０．０１〜約０．１ｍｍである。
【手続補正５】
【補正対象書類名】明細書
【補正対象項目名】００４０
【補正方法】変更
【補正の内容】
【００４０】
下塗層１ｂ、１ｃ、着色層１ｄ、クリヤー層１ｅに用いられる塗料は、塗料の形態が水性系、溶剤系、無溶剤系など、所望の外観、物性が得られるものが選択される。
また塗料には、必要に応じて、分散剤、表面調整剤、消泡剤、増粘剤、光安定剤、紫外線吸収剤等の添加剤が配合できる。
【手続補正６】
【補正対象書類名】明細書
【補正対象項目名】００４１
【補正方法】変更
【補正の内容】
【００４１】
本実施形態では、塗膜層は以上の４つの層から構成されているが、これに限られるものでは無く、必要に応じて更に他の塗膜層を有しても良い。また、下塗層１ｂ、１ｃは、１層からなっても良い。
【手続補正７】
【補正対象書類名】明細書
【補正対象項目名】００４２
【補正方法】変更
【補正の内容】
【００４２】
化粧パネル１には、躯体に固定するためのねじ穴３が貫設されており、ねじ穴３にはねじ５が捩じ込まれている。ねじ５は、ねじ頭５ａが基板１ａ内に位置するようになっている。このため、図３及び図４に示すように、ねじ穴３の開口部を補修用シール７によって補修を行う。

【手続補正８】
【補正対象書類名】明細書
【補正対象項目名】００４５
【補正方法】変更
【補正の内容】
【００４５】
また、後述する図１０に示す様に、補修用シール８の様に、基材シート７０ａと補修着色層７０ｂの間に透明、半透明又は着色層１ｄと同色であるプライマー層７０ｄを有することができる。
【手続補正９】
【補正対象書類名】明細書
【補正対象項目名】００４６
【補正方法】変更
【補正の内容】
【００４６】
基材シート７０ａは、透明又は半透明の樹脂製のシートである。樹脂の種類は、特に限定されるものでは無いが、ポリイミド、ポリエステル等が用いられ、本実施形態の場合は、透明な黄金色から赤褐色を呈する芳香族系ポリイミド樹脂が好ましい。芳香族系ポリイミド樹脂を用いることは、耐熱性と寸法安定性の点から好ましい。
基材シート７０ａの厚さは、補修用シール７を化粧パネル１に貼りつけた際に、補修用シール７が目立たないならば、特に限定されるものではないが、化粧パネル１のクリヤー層１ｅの膜厚と略同等に設定されることが好ましい。本実施形態の場合、基材シート７０ａの厚さは、約０．０１〜約０．２ｍｍである。０．０１ｍｍ未満では、塗装乾燥時に塗膜表面にしわがよりやすく、０．２ｍｍを超えると、補修用シールの厚みによる化粧パネルからの出っ張りが目立ち易い。この範囲であれば、補修用シールの化粧パネルからの出っ張りがほぼ目立たない。
【手続補正１０】
【補正対象書類名】明細書
【補正対象項目名】００４７
【補正方法】変更
【補正の内容】
【００４７】
補修着色層７０ｂは、本補修用シール７が貼りつけられる化粧パネル１の着色層１ｄと同一の塗料からなる塗膜層である。ここで、同一の塗料とは、同一の組成を有すれば足り、化粧パネル１の着色層１ｄと厳密に同一の色を有するものである必要はない。化粧パネル１の外観の色合いは、経年変化等により、本来有していた色とは異なる色合いを呈することがあるため、補修着色層７０ｂの色は、この変化後の色に合わせる方が好ましい場合もある。従って、補修着色層７０ｂの色と実際に補修用シール７の貼り付けられる化粧パネル１の経年変化前の製造時の着色層１ｄの色とは必ずしも一致するものでは無い。
補修着色層７０ｂの厚さは、補修用シール７を化粧パネル１に貼りつけた際に、補修用シール７が目立たないならば、特に限定されるものではないが、化粧パネル１の着色層１ｄの膜厚と略同等に設定されることが好ましい。本実施形態の場合、補修着色層７０ｂの厚さは、約０．０１〜約０．１ｍｍである。
【手続補正１１】
【補正対象書類名】明細書
【補正対象項目名】００５３
【補正方法】変更
【補正の内容】
【００５３】
図１０に示す、基材シート７０ａと補修用着色層７０ｂの間にプライマー層７０ｄを設ける場合には、プライマー層７０ｄは、透明、半透明又は補修着色層７０ｂと同色な層を得られる塗料を用いる。
このプライマー層７０ｄは、基材シート７０ａと補修着色層７０ｂとの間の密着性を向上するための塗膜層である。
このプライマー層７０ｄを形成する塗料の種類は、特に限定されるものでは無いが、シリコーン系、アクリル系、ウレタン系、エポキシ系等の塗料が用いられ、本実施形態の場合は、エポキシ系樹脂からなっている。エポキシ系樹脂は、密着性向上効果が優れる点で好ましい。
【手続補正１２】
【補正対象書類名】明細書
【補正対象項目名】００５７
【補正方法】変更
【補正の内容】
【００５７】
そして、第１塗装工程として、図６に示すように、溶剤系２液型アクリルウレタン塗料を第１パネル１５及び中間シート９に塗装し、次いで、加熱強制乾燥する。これにより、第１パネル１５上に着色層１ｄを形成するとともに、基材シート７０ａ上に補修着色層７０ｂを形成する。この着色層１ｄと補修着色層７０ｂとは、同一の塗料から形成される。
【手続補正１３】
【補正対象書類名】明細書
【補正対象項目名】００５８
【補正方法】変更
【補正の内容】
【００５８】
なお、ここでの同一塗料とは、同一組成、同一の色であることを意味する。すなわち第１塗装工程では、補修用シール７を所望な色、外観とするための補修着色層７０ｂの色が選択され、この塗料にて着色層１ｄも形成される。

【手続補正１４】
【補正対象書類名】明細書
【補正対象項目名】００５９
【補正方法】変更
【補正の内容】
【００５９】
また、第２塗装工程として、図７に示すように、溶剤系２液型アクリルウレタンクリヤー塗料をさらに着色層１ｄ及び補修着色層７０ｂの表面に塗装する。次いで、加熱強制乾燥する。これにより、着色層１ｄ上にクリヤー層１ｅを形成するとともに、補修着色層７０ｂ上に補修クリヤー層７０ｃを形成する。クリヤー層１ｅと補修クリヤー層７０Ｃとは、同一の塗料から形成される。

【手続補正１５】
【補正対象書類名】明細書
【補正対象項目名】００６０
【補正方法】変更
【補正の内容】
【００６０】
なお、ここでの同一塗料とは、同一組成、同一の色、外観であることを意味する。すなわち第２塗装工程では、補修用シール７を所望な色、外観とするための補修クリヤー層７０ｃの色、外観が選択され、この塗料にてクリヤー層１ｅも形成される。

【手続補正１６】
【補正対象書類名】明細書
【補正対象項目名】００６２
【補正方法】変更
【補正の内容】
【００６２】
尚、図１０に示すプライマー層７０ｄを有する補修用シール８は、中間シートの基材シート７０ａの表面にエポキシ樹脂系塗料を塗装し、プライマー層７０ｄを形成してしる中間シートを使用し、上記補修用シール部材７０１を製造する。
【手続補正１７】
【補正対象書類名】明細書
【補正対象項目名】００６５
【補正方法】変更
【補正の内容】
【００６５】
また図１１に示すように、下塗層１ｂ、１ｃを塗装した基板１ａと同じ表面特性を有するベースパネルとして、化粧パネル１を用いて、中間シート９を上記補修用シール７の製造方法で製造することができる。
【手続補正１８】
【補正対象書類名】明細書
【補正対象項目名】００６９
【補正方法】変更
【補正の内容】
【００６９】
補修用シール７がねじ穴３の断面積Ｓ１に対して２倍よりも小さければ、化粧パネルとの接着性が劣り、補修用シール７の端部からの剥離が発生し易くなる。また補修用シール７がねじ穴３の断面積Ｓ１に対して１０倍を超えると、補修箇所が目立ち易くなる。
【手続補正１９】
【補正対象書類名】明細書
【補正対象項目名】００７１
【補正方法】変更
【補正の内容】
【００７１】
2019090204.tif 000001
【手続補正２０】
【補正対象書類名】明細書
【補正対象項目名】００７２
【補正方法】変更
【補正の内容】
【００７２】
2019090204.tif 000002
【手続補正２１】
【補正対象書類名】明細書
【補正対象項目名】００７３
【補正方法】変更
【補正の内容】
【００７３】
2019090204.tif 000003
【手続補正２２】
【補正対象書類名】明細書
【補正対象項目名】００７４
【補正方法】変更
【補正の内容】
【００７４】
（実施例１）
実施形態の製造方法により実施例１の補修用シール部材７００を製造した。この際、図５及び表１に示すように、基板１ａと下塗層１ｂと下塗層１ｃの３層からなる第１パネル１５上に中間シート９を載置した。中間シート９は、黄褐色の０．０２５ｍｍのポリイミド製の基材シート７０ａと、膜厚０．０３ｍｍの無色透明なシリコーン系の接着層７１と、剥離シート７２とからなる。

【手続補正２３】
【補正対象書類名】明細書
【補正対象項目名】００７６
【補正方法】変更
【補正の内容】
【００７６】
図９に示すように、この補修用シール７にて化粧パネル１に補修した。そして、基材シート７０ａと補修着色層７０ｂとの間の密着性の評価を行った。この評価は、補修クリヤー層７０ｃ側からＸ状に補修用シール７のみに切り込みを入れ、その位置にセロテープ（登録商標）を貼付し、その後、そのセロテープ（登録商標）を剥がし、補修着色層７０ｂの剥離の有無を確認することによって行った。この結果、基材シート７０ａと補修着色層７０ｂとの間での剥離はなかった。

【手続補正２４】
【補正対象書類名】明細書
【補正対象項目名】００７７
【補正方法】変更
【補正の内容】
【００７７】
また、株式会社堀場製作所製ハンディー光沢計「グロスチェッカーＩＧ−３２０」を用いて、化粧パネル１と補修用シール７の表面の光沢値を測定したところ、化粧パネル１及び補修用シール７は、光沢度９０という高光沢な鏡面状の平坦な表面を有していた。
そして、化粧パネル１と補修用シール７との色差ΔＥ＊を測定したところ、色差ΔＥ＊は１未満であった。
なお、色差ΔＥ＊の測定は、コニカミノルタ社製分光測色計ＣＭ−６００ｄを使用して行った。色差測定条件は、測色径：φ８ｍｍ、視野：１０°、光源：Ｄ６５、モード：ＳＣＩである。

【手続補正２５】
【補正対象書類名】明細書
【補正対象項目名】００７９
【補正方法】変更
【補正の内容】
【００７９】
貼付作業時や貼付後に補修多層体７０にクラックが入ることはなかった。また、補修箇所について、補修用シール７の表面側から３ｍ離れた位置で正面から確認を行うとともに、表面側に対して傾斜した位置の左右及び上下からの斜視視認を行った。正面からの視認及び斜視視認において、化粧パネル１と補修用シール７の色は合っており、補修用シール７の側面の縁取り部が目立つこともなかった。これらの結果も表１に示す。

【手続補正２６】
【補正対象書類名】明細書
【補正対象項目名】００８１
【補正方法】変更
【補正の内容】
【００８１】
また、この補修用シール７は、表面側から視認できる補修着色層７０ｂよりも化粧パネル１側に位置する基材シート７０ａが透明であり、接着層７１も透明であるため、補修多層体７０の縁取り部で基材シート７０ａ及び接着層７１が視認され難い。特に、図９に示す斜視確認時に基材シート７０ａと接着層７１から着色層１ｄの色が透けて見え、補修用シール７の側面がより目立ち難くなるため、補修箇所が目立ち難い。
【手続補正２７】
【補正対象書類名】明細書
【補正対象項目名】００８５
【補正方法】変更
【補正の内容】
【００８５】
（実施例３）
実施形態の製造方法により、図１０に示すような実施例３の補修用シール部材７０１を製造した。これらの補修用シール部材７０１では、基材シート７０ａと補修着色層７０ｂの間にプライマー層７０ｄを有している。
【手続補正２８】
【補正対象書類名】明細書
【補正対象項目名】００９２
【補正方法】変更
【補正の内容】
【００９２】
（実施例５）
実施形態の製造方法により実施例５の補修用シール７を製造した。この際、表１に示すように、厚さが０．１ｍｍの無色透明なポリエステル製の基材シート７０ａを採用している。また、補修着色層７０ｂの膜厚が０．０４ｍｍであり、補修クリヤー層７０Ｃの膜厚が０．０４ｍｍである。他の構成は実施例１の補修用シール７と同様である。この補修用シール７も実施例１と同様に製造される。得られた補修用シール７の厚さは０．２１ｍｍであった。補修用シール部材７００の塗装乾燥後の状態に異常はなかった。
【手続補正２９】
【補正対象書類名】明細書
【補正対象項目名】００９８
【補正方法】変更
【補正の内容】
【００９８】
（比較例３、４）
比較例３、４の補修用シールでは、表２に示すように、接着層が白色不透明である。他の製造方法は実施例１と同様である。
【手続補正３０】
【補正対象書類名】明細書
【補正対象項目名】０１００
【補正方法】変更
【補正の内容】
【０１００】
（比較例５）
比較例５の補修用シールでは、表２に示すように、アルミニウム製の不透明な基材シートを採用した。他の製造方法は実施例１と同様である。
【手続補正３１】
【補正対象書類名】明細書
【補正対象項目名】０１０２
【補正方法】変更
【補正の内容】
【０１０２】
（実施例６）
実施形態の製造方法により、表３の実施例６の補修用シール７を製造した。この際、図１１及び表３に示すように、ベースパネルとしての化粧パネル１上に中間シート９を載置した。化粧パネル１は、第１下塗層１ｂと、第２下塗層１ｃと、白色の着色層１ｄと、クリヤー層１ｅとをこの順に配したものである。化粧パネル１の表面は実施形態の第１パネル１５と同じ表面特性を有している。
【手続補正３２】
【補正対象書類名】明細書
【補正対象項目名】０１０６
【補正方法】変更
【補正の内容】
【０１０６】
（実施例７）
実施形態の製造方法では、図１０に示すような、表３の実施例７の補修用シール８を製造した。ベースパネルとしての化粧パネル１上に中間シート９を載置し、補修用シール部材７０１を製造する。中間シートの９の基材シート７０ａの表面側には、化粧パネル１上に載置する前に補修着色層７０ｂと同じ白色のプライマー層７０ｄを平均膜厚０．０３ｍｍ形成している。他の製造方法は実施例６と同様である。
【手続補正３３】
【補正対象書類名】明細書
【補正対象項目名】０１０８
【補正方法】変更
【補正の内容】
【０１０８】
実施例７の補修用シール８によって実施例１と同様の補修構造が得られた。補修用シール８は、光沢度８８という高光沢な鏡面状の平坦な表面を有していた。実施例７の補修用シール８の結果も表３に示す。
【手続補正３４】
【補正対象書類名】明細書
【補正対象項目名】０１０９
【補正方法】変更
【補正の内容】
【０１０９】
この補修用シール８は、基材シート７０ａと補修着色層７０ｂとの間に白色のプライマー層７０ｄを有するため、基材シート７０ａと補修着色層７０ｂとの密着性が高まっている。他の作用効果は実施例７と同様である。
【手続補正３５】
【補正対象書類名】図面
【補正対象項目名】図１１
【補正方法】変更
【補正の内容】
【図１１】
2019090204.tif 000004